(57)【要約】【課題】遊泳補助浮具を使用して遊泳する利用者の身体を、常に遊泳補助浮具の中央に位置せしめる働きを得ると共に、利用者に働く浮具からの浮力圧を、軽減させる働きが得られ、更に、利用者の上半身を、常に上向きにせしめる働きがある遊泳補助浮具を得る。【解決手段】浮力の異なる３枚の浮板の、浮力の一番小さい浮板を中央に置き、その両隣に、その次に浮力の大きい浮板を並べ置き、隣り合う浮板と浮板とを、連結材でそれぞれつなぎ、筏状の浮具と成す事により、中央から両端部にいくに従い、浮力が大きくなる一つの浮具と成し、更に連結材の長さを、浮板前部は短く、浮板後部は長くせしめ、あるいは、浮板前部の浮力は大きく、浮板後部の浮力は小さくせしめた如き構成とする。【選択図】　　　図１
2004000521.tif 000002
【特許請求の範囲】
【請求項１】
浮力の異なる３枚の浮板の、浮力の一番小さい浮板を中央に置き、その両隣に、それより浮力の大きい浮板を並べ置き、隣り合った浮板と浮板とを、連結材でそれぞれつなぎ、筏形状に浮板を連ねることに依り、中央の浮力は小さく、両端にいくに従い浮力が大きくなることを特徴とした浮板連結筏浮具。
【請求項２】
上記、浮板と浮板とをつなぐ連結材の長さを、浮板の前部は短く、後部は長くすることに依り、浮板と浮板との間隔を前部は狭く、後部は広くしたことを特徴とした請求項１に記載した浮板連結筏浮具。
【請求項３】
上記浮板を、浮板前部の浮力は大きく、浮板後部の浮力は小さくしたことを特徴とした請求項１又は２に記載した浮板連結筏浮具。
【発明の詳細な説明】
【０００１】
【発明が属する技術分野】
本発明は、遊泳を補助する浮具に関するものである。
【０００２】
【従来の技術】
従来、遊泳を補助する浮具は、一枚の袋状のビニール等に空気を注入密封し、浮具と成すものや、あるいは、様々な形をした袋状のビニール等を、幾数枚組み合わせ連結して、空気を注入密封し、浮具と成すもの（例えば、実用新案文献１参照。）と、発泡スチロール等の比重の軽い材質の物を成形化し、浮具と成すもの（例えば、実用新案文献２参照。）とに分類され、その利用目的に合わせ、様々な材料を使い、様々な形をした、浮具と成しているのがほとんどである。
【０００３】
【実用新案文献１】
実開０５−７８６９６
【実用新案文献２】
登録　　３０１１３６９
【０００４】
【発明が解決しようとする課題】
従来の技術で述べたもののうち、前者においては、一枚の袋状のビニール等や、あるいは様々な形の袋状のビニール等を、組み合わせて連結し、空気を注入密封した浮具であるため、その形状は柔軟性があり、利用者の動作や波の上下運動に、対応した浮力を提供せしめることができる。反面、岩礁等により、浮具が破損しやすい事や、浮具上での利用者の動作や、波の上下運動等により、利用者の体重が浮具上で移動する度に、袋状の浮具に密封した空気が、浮具の内部で移動（すなわち、体重のかかる部分はぺしゃんこに変形し、その部分にあった空気は、他の部分へ移動）し、それにより浮具の一部分に浮力が集中し、同時に、浮具にかかる浮力が浮具の一方向に働き、浮力のバランスが崩れ、浮具が反転、利用者が浮具から放り出される等という問題がある。例えば、実用新案文献１の場合においては、浮体への乗り降りの際、或いは乗ってから仰向けになる際、又、海上で波が上下する際等、浮体上で利用者が動く度に、利用者の重心は移動する。その度に浮体内部で密封された空気は、重心がかかる部所とは別の部所へ移動し、同時に、浮体に働く浮力が、強弱を伴い、他方向へ移動することにより、浮体の浮力のバランスが崩れ、利用者が浮体から放り出される等の問題が発生する。
【０００５】
後者においては、浮具が成形化しているため、岩礁等による破損は少ないという利点がある反面、成形化しているため、波の変化や利用者の動きに敏感に反応しやすく、少しでも利用者の体重のバランスが崩れると、それに伴い、浮具にかかる浮力が浮具の一方向に働き、浮具のバランスが崩れ、浮具が反転し、利用者が浮具から放り出される等という問題がある。
【０００６】
【課題を解決するための手段】
本発明は、従来の技術の有するこの様な問題点を鑑みてなされたものであり、その目的とするところは、浮力の異なる３枚の浮板の、浮力の小さい浮板を中央に置き、その両隣に、それより浮力の大きい浮板を並べ置き、これらを連結材でそれぞれつなぎ、中央から両端部にいくに従い、浮力が大きくなる筏形状の浮具と成した。これに依り、浮具に発生する浮力を、常に浮具の中央から両端部の両方向に働くようせしめ、浮具に一方向的な浮力が発生することを阻止せしめ、利用者の身体が、常に浮具の中央に位置するようせしめた。
【０００７】
更に３枚の浮板を、連結材でつなぎ、筏形状にすることで、浮具を複数面化せしめ、利用者の身体を常に水に浸しめた。このことにより、浮具だけでなく利用者の身体にも、常時、直接、浮力が働くようせしめた。すなわち、利用者に直接浮力が働く分、浮具にかかる利用者の体重は小さくなり、かまえて、浮具に働く浮力も小さくなる。すなわち、小さい浮力で、利用者を浮かす事ができる。浮具に働く浮力は、浮具が利用者に与える浮圧力であるため、働く浮力が小さければ小さいほど、利用者は身体が楽になり、長時間使用する事ができる。又、これにより、浮具の浮力バランスの変動も小さくなり、利用者が浮具から放り出される等の事故を、少なくせしめる事が出来る。
【０００８】
更に、浮板と浮板をつなぐ連結材の長さを、浮具の前部は短く、後部は長くすることに依り、あるいは、浮板前部の浮力は大きく、浮板後部の浮力は小さくすることに依り、利用者の上半身にかかる浮力は大きく、下半身にかかる浮力は小さくせしめ、利用者が常に上向きになるようせしめた。このことにより、利用者が、顔面等を水中につけ、水中を観察する際、或いは、水面の上下運動等により、バランスが崩れそうになっても、利用者が、前方につんのめりにくい等、利用者が常に安定した姿勢を保てるよう提供せしめた。。
【０００９】
【発明の実施の形態】
発明の実施の形態をその実施例について図面を参照して説明する。
図１に示すのは、本発明の一実施例を示す平面図であり、浮力の異なる３枚の浮板（１）（１）’（１）”の、浮力の一番小さい浮板（１）を中央に置き、その両隣に、浮板（１）より浮力の大きい浮板（１）’（１）”を並べ置き、浮板（１）（１）’（１）”の前部は連結材（２）（２）で、後部は連結材（２）’（２）’で、それぞれつないだものである。
【００１０】
図２に示すのは、本発明の一実施例を示す変化平面図であり、浮板（１）（１）’（１）”の前部をつなぐ連結材（２）（２）は短く、後部を結ぶ連結材（２）’（２）’は長くしている。これにより、浮具前部の浮力の密度は大きく、後部の密度は小さくなるため、利用者に働く浮力は、浮具前部は大きく、後部は小さくなる。
【００１１】
図３に示すのは、本発明の一実施例を示す変化平面図であり、浮板前部の横幅は大きく、浮板後部の横幅は小さくしている。これにより浮板前部の浮力は大きく、浮板後部の浮力は小さくなる。
【００１２】
図４に示すのは、本発明の一実施例を示す、水上における利用図の正面断面図であり、浮板連結筏浮具の中央に、利用者（４）を位置せしめた図である。浮板（１）’（１）”の厚みは、中央部側は小さく、端部側は大きい。すなわち、浮具中央から両端部にいくに従い、浮力は大きくなり、これにより浮板（１）から浮板（１）’（１）”の双方向に、浮力は働く。
【００１３】
図５に示すのは、本発明の一実施例を示す、水上における利用図の変化正面断面図であり、水面（Ａ）の変化等に依り、利用者（４）が、浮板連結筏浮具の中央から浮板（１）”の側へ、押しやられた図である。この状況において利用者（４）は、浮板（１）”と浮板（１）との浮力の差に依り、浮力の小さい中央の浮板（１）の方向に押しやられる。この働きにより利用者は、浮具の中央に位置せしめられる。利用者が浮板（１）’の側へ押しやられた場合も、同じような働きがおこり、これらの働きにより、利用者は繰り返し、浮具の中央に位置せしめられる。
【００１４】
図６に示すのは、本発明の一実施例を示す応用作品の平面図であり、中央の浮板（１）と、それより浮力の大きい、前後に取っ手（３）を有する浮板（１）’（１）”をそれぞれ連結材（２）（２）’でつないだ図である。利用者は取っ手（３）を掴む事により、利用時には浮具に身体を密着せしめ、より安定した浮力を得ることができる。又、利用者は、取っ手（３）を介する事で、水上での浮具への乗り降りを、容易にせしめることができる。
【００１５】
図７に示すのは、本発明の一実施例を示す、応用作品の側面図であり、浮板（１）’の前部の厚みは大きく、後部の厚みは小さい。これにより浮具前部の浮力は大きく、後部の浮力は小さくなる。
【００１６】
図８に示すのは、本発明の一実施例を示す、応用作品の正面図である。
【００１７】
図９に示すのは、本発明の一実施例を示す、応用作品の変化正面図である。
【００１８】
図１０に示すのは、本発明の一実施例を示す、応用作品の水上における利用斜視図である。
【００１９】
【発明の効果】
以上述べてきた如く本発明は、上記のとおり構成されているので、次に記載する効果を奏する。
【００２０】
本発明は、中央の浮力は小さく、両端部の浮力は大きい、３枚の浮板を連結した浮具と成すことで、利用者の身体を、常に浮具の中央に、位置せしめる効果がある。
【００２１】
本発明は、３枚の浮板を連結して、筏形状の浮具と成すことで、利用者の身体を常に水に浸しめ、利用者にも直接、浮力を発生せしめる効果がある。
【００２２】
本発明は、浮具前部の浮力を大きくした浮具と成すことで、利用者の身体を、常に上向きにせしめる効果がある。
【図面の簡単な説明】
【図１】浮板連結筏浮具の平面図である。
【図２】浮板連結筏浮具の変化平面図である。
【図３】浮板連結筏浮具の変化平面図である。
【図４】浮板連結筏浮具の水上における利用正面断面図である。
【図５】浮板連結筏浮具の水上における変化利用正面断面図である。
【図６】浮板連結筏浮具の応用作品の平面図である。
【図７】浮板連結筏浮具の応用作品の側面図である。
【図８】浮板連結筏浮具の応用作品の正面図である。
【図９】浮板連結筏浮具の応用作品の変化正面図である。
【図１０】浮板連結筏浮具の応用作品の水上における利用斜視図である。
【符号の説明】
１、浮板
２、連結材
３、取っ手
４、利用者
Ａ、水面
【図１】
2004000521.tif 000003
【図２】
2004000521.tif 000004
【図３】
2004000521.tif 000005
【図４】
2004000521.tif 000006
【図５】
2004000521.tif 000007
【図６】
2004000521.tif 000008
【図７】
2004000521.tif 000009
【図８】
2004000521.tif 000010
【図９】
2004000521.tif 000011
【図１０】
2004000521.tif 000012